(57)【要約】【課題】陥入爪を矯正することのできる陥入爪治療具を得る。【解決手段】管体１は長さ約１〜２ｃｍで先端にゆくに従い直径が細くなるテーパ管形状とされ、長手方向に沿って間隙２が設けられ、断面Ｃ字状になっている。間隙２の両側には鋸歯部３が形成され、間隙２により爪甲Ｎの外側縁部Ｎａに喰い込むようになっている。管体１の複数個所には、ワイヤ５を挿通するための孔部４が設けられている。爪甲Ｎの外側縁部Ｎａの周囲の組織をメスで切開して外側縁部Ｎａを露出させ、管体１の細径側を先端とし、管体１の間隙２に外側縁部Ｎａを挿入して押し込む。その後にペンチ等を用いて、管体１が脱落したりずれたりしないように、間隙２の幅を狭め、鋸歯部３を爪甲Ｎに喰い込ませて管体１を確実に固定し、孔部４と爪甲Ｎに穿けた小孔Ｎｈ間に超弾性ワイヤ５を張る。【選択図】        図２
2004329646.tif 000002
【特許請求の範囲】
【請求項１】
先端にゆくに従い直径が細くなる硬質材料から成る略テーパ状の管体に、長手方向に沿った間隙を設けて断面をＣ字状とすると共に、前記管体にはワイヤ挿通孔を形成したことを特徴とする陥入爪治療具。
【請求項２】
前記間隙の両側に鋸歯部を形成した請求項１に記載の陥入爪治療具。
【請求項３】
前記ワイヤ挿通孔は複数個とした請求項１に記載の陥入爪治療具。
【請求項４】
前記管体の直径は４〜２ｍｍの間で長手方向に変化する請求項１に記載の陥入爪治療具。
【発明の詳細な説明】
【０００１】
【発明の属する技術分野】
本発明は、陥入爪を治療するための陥入爪治療具に関するものである。
【０００２】
【従来の技術】
陥入爪とは、爪甲の外側縁部が内側に巻き込むように屈曲して爪溝や側爪郭に喰い込み、足指の軟質組織を圧迫して疼痛を発生させる疾患である。特に図５、図６に示すように母趾Ｆの爪甲Ｎの外側縁部Ｎａに発生する場合が多く、この外側縁部Ｎａが母趾Ｆの軟部組織を圧迫し、膿Ｐを発生させることがある。
【０００３】
図７（ａ）に示すような爪甲Ｎが、正常爪に対し軽度の陥入爪の場合にはさどど問題はないとしても、図７（ｂ）に示すように爪甲Ｎの外側縁部Ｎａ、Ｎｂが屈曲している場合、更には重度の陥入爪の場合には図７（ｃ）に示すように、爪甲Ｎの外側縁部Ｎａ、Ｎｂの屈曲度が大きくなり、爪溝や側爪郭を圧迫し、特に靴を履いたときには母趾Ｆを強く押圧し激しい疼痛を与える。
【０００４】
この陥入爪の発生要因としては、遺伝による先天的因子と、履物による圧迫や深爪等の不適切な処置による後天的因子とがあり、特に深爪等によって細菌が感染すると、母趾Ｆに異常肉芽が形成され、非常な疼痛を伴う爪郭炎を併発する場合がある。
【０００５】
従来から、この陥入爪の治療法としては、爪甲Ｎの外側縁部Ｎａ、Ｎｂの爪棘を外科手術により切除する方法、爪甲Ｎの外側縁部Ｎａ、Ｎｂと軟部組織の間にガーゼ等を挟み込む方法、或いは特許文献１に開示している形状記憶合金を用いた陥入爪矯正具による方法が知られている。
【０００６】
【特許文献１】
特許第２６４８７３５号公報
【０００７】
【発明が解決しようとする課題】
しかしながら、陥入爪は巻き爪であるために母趾Ｆの軟部組織に喰い込み、爪甲Ｎの外側縁部Ｎａ、Ｎｂを除去するための手術は比較的煩雑であり、手術によって爪甲Ｎの幅が狭くなったり、爪棘が残って炎症が悪化するという問題も生ずる。また、細菌感染の虞れがある場合には手術ができないという問題もある。
【０００８】
爪甲Ｎの外側縁部Ｎａ、Ｎｂと軟部組織の間にガーゼ等を挟み込む方法では、爪甲Ｎの外側縁部Ｎａ、Ｎｂと軟部組織の間に発生した膿Ｐを排膿することができないため、ガーゼ等を頻繁に交換しなければならない。
【０００９】
特許文献１における陥入爪矯正具は、爪甲Ｎの幅が短い場合には、爪甲Ｎの表面に陥入爪矯正具を固定することが困難である。
【００１０】
本発明の目的は、上述の課題点を解決し、矯正により爪を平坦にすることによって陥入爪を治療すると共に、爪甲の外側縁部を被覆して炎症を軽減し、軟部組織に生ずる膿を排出することを可能とする陥入爪治療具を提供することにある。
【００１１】
【課題を解決するための手段】
上記目的を達成するための本発明に係る陥入爪治療具は、先端にゆくに従い直径が細くなる硬質材料から成る略テーパ状の管体に、長手方向に沿った間隙を設けて断面をＣ字状とすると共に、前記管体にはワイヤ挿通孔を形成したことを特徴とする。
【００１２】
【発明の実施の形態】
本発明を図１〜図４に図示の実施の形態に基づいて詳細に説明する。
図１は本実施の形態における陥入爪治療具の斜視図を示しており、チタン合金又はステンレス合金から成り、長さ約１〜２ｃｍで先端にゆくに従って、直径が例えば約４ｍｍから約２ｍｍに細くなるテーパ管形状の管体１から成っている。管体１にはその長手方向に沿って間隙２が設けられ、管体１は断面Ｃ字状とされている。間隙２の両側には鋸歯部３が形成され、間隙２に爪甲Ｎの外側縁部Ｎａが喰い込み易い形状となっている。また、管体１の複数個所には、後述するワイヤを挿通するための小径の孔部４が設けられている。
【００１３】
図２はこの陥入爪治療具の使用状態の斜視図、図３は断面図をそれぞれ示し、爪甲Ｎの治療すべき外側縁部Ｎａの周囲の組織をメスで切開して外側縁部Ｎａを露出させ、管体１の細径側を先端とし、管体１の間隙２に外側縁部Ｎａを挿入して押し込む。その後にペンチ等を用いて、管体１が脱落したりずれたりしないように、間隙２の幅を狭め鋸歯部３を爪甲Ｎに喰い込ませて、管体１を外側縁部Ｎａに確実に固定する。
【００１４】
続いて、適宜の孔部４を選んで、例えば弾性力の強い金属製の超弾性ワイヤ５を通して固定し、ワイヤ５の他端を爪甲Ｎに穿けた小孔Ｎｈに通して結束することにより、ワイヤ５を緊張させる。ワイヤ５の張力によって、組織に陥入した爪甲Ｎの外側縁部Ｎａを管体１を介して上方に持ち上げる。また、爪甲Ｎからはみ出した管体１の不要な端部は、ニッパ等で切断する。
【００１５】
管体１を挿入した周囲では、爪甲Ｎの爪棘が軟部組織を刺激して炎症が発生し、膿Ｐが生じ易いが、間隙２や孔部４を介して、膿Ｐを排膿することができ、或いは薬液を注入することにより、炎症を軽減することができる。
【００１６】
また、超弾性ワイヤ５を使用することにより、ワイヤ５には常に張力が加わっているので、爪甲Ｎを時間をかけて平坦に矯正することができる。更に、治療が進むにつれ、ワイヤ５の張力を変えるためにワイヤ５を張り直すことが可能で、また管体１には複数の孔部４を設けていることから、使用する孔部４を適宜に代えることもできる。
【００１７】
実際に、爪甲Ｎに管体１を挿着する際には、図４に示すように爪甲Ｎの形状に合わせて、管体１を予め屈曲させてもよい。
【００１８】
本実施の形態においては、管体１にチタン合金又はステンレス合金を用いたが、組織に悪影響が及ばない他の合金や、合成樹脂等を用いることもできる。
【００１９】
また、本実施の形態では、爪甲Ｎの片側の外側縁部Ｎａにのみに管体１を挿着したが、両端が陥入爪である爪甲Ｎの場合には、両端の外側縁部Ｎａ、Ｎｂに管体１をそれぞれ挿着してもよい。この場合には、管体１の孔部４同士に超弾性ワイヤ５を張ればよく、爪甲Ｎにワイヤ５を通すための小孔Ｎｈを穿けずに済ませることができる。
【００２０】
【発明の効果】
以上説明したように本発明に係る陥入爪治療具は、テーパ管状であるために爪甲の外側縁部に挿入し易く、ワイヤを用いて外側縁部を浮き上がらせて陥入爪を矯正することができる。
【００２１】
また、陥入爪治療具に設けられた断面Ｃ字状の間隙及びワイヤを通すための孔部を介して、排膿したり、薬液を注入することができ、陥入爪の治療期間を短縮することができる。
【００２２】
更に、間隙に鋸歯部を形成すれば、爪甲に確実に固定することができる。
【図面の簡単な説明】
【図１】陥入爪治療具の斜視図である。
【図２】使用状態の斜視図である。
【図３】使用状態の断面図である。
【図４】陥入爪治療具を曲げた状態の斜視図である。
【図５】陥入爪の斜視図である。
【図６】陥入爪の断面図である。
【図７】陥入爪の説明図である。
【符号の説明】
１  管体
２  間隙
３  鋸歯部
４  孔部
５  超弾性ワイヤ
Ｎ  爪甲
Ｎａ、Ｎｂ  外側縁部
Ｎｈ  小孔
Ｐ  膿
【図１】
2004329646.tif 000003
【図２】
2004329646.tif 000004
【図３】
2004329646.tif 000005
【図４】
2004329646.tif 000006
【図５】
2004329646.tif 000007
【図６】
2004329646.tif 000008
【図７】
2004329646.tif 000009